(57)【要約】【課題】この発明は、廃棄処分が容易で、環境への悪影響が少なく、直角三角形状のサンドイッチを包装するのに適した包装袋を提供することを目的とする。【解決手段】上記の課題を解決するために、この発明のサンドイッチ包装用袋１は、略等脚台形状の食品収容部６を有する第１紙シート２および第２紙シート３を重ね合わせて形成した本体部と、第１紙シート２の食品収容部６である等脚台形状の上辺７を一辺とする長方形の内部に収まるように切り抜き部１２が備えられ、切り抜き部１２は長方形部の幅の６０％以上であるが、長さは長方形部の長さよりも短い長方形になっていて、その切り抜き部１２に透明シート３が設けられている。【選択図】図１
2020083476.tif 000002
【特許請求の範囲】
【請求項１】
略等脚台形状の食品収容部を有する第１紙シートおよび第２紙シートを重ね合わせて形成した本体部と、第１紙シートの食品収容部である等脚台形状の上辺を一辺とする長方形の内部に収まるように切り抜き部が備えられ、切り抜き部は長方形部の幅の６０％以上であるが、長さは長方形部の長さよりも短い長方形になっていて、その切り抜き部において第２紙シートに対向した第１紙シートの面に生分解性プラスチックの透明シートが設けられていて、
第１紙シート２と第２紙シート３のそれぞれ内側を向く面には防水性のコーティングが施されていて、
第２紙シートの等脚台形状の上辺を一辺とする長方形の内部において長方形の上辺付近または下辺付近に水平に設けられた水平切込み線と、水平切込み線の両端から垂直に設けられた垂直切込み線によりなる切込み部が形成されており、
切り込み部の上に設けられた開封用シートを有するサンドイッチ包装用袋。
【発明の詳細な説明】
【技術分野】
【０００１】
この発明は、直角三角形状のサンドイッチを包装するための食品包装体に関する。
【背景技術】
【０００２】
直角三角形の形状をしたサンドイッチは、プラスチックフィルムでできた包装袋に収納され、店頭に陳列されている。特許文献１、特許文献２や特許文献３などには、このような直角三角形のサンドイッチを収納する包装袋が記載されている。
【０００３】
特許文献１〜３のサンドイッチ用包装体は、第１プラスチックシートと第２プラスチックシートを有し、第１プラスチックシートと第２プラスチックシートは同形の等脚台形部を有し、等脚台形部の斜辺部および上辺部には第１プラスチックシートと第２プラスチックシートの接続部が所定の幅で形成され、等脚台形部の下辺部は第１プラスチックシートと第２プラスチックシートが接続されていない開口部となっている。そして、中央部にはカットテープや開封用の第３シートなどの開封補助部材が設けられ、開封を容易にしている。
【０００４】
また、長方形状のサンドイッチの包装用には、プラスチック製の箱状容器や、厚紙製の箱容器が使用されている。
【先行技術文献】
【特許文献】
【０００５】
【特許文献１】特開２０１３−１６６５６６号公開特許公報
【特許文献２】特開２００６−８１６２号公開特許公報
【特許文献３】意匠登録第１５３９５０９号意匠広報
【発明の概要】
【発明が解決しようとする課題】
【０００６】
箱状の容器は長方形状のサンドイッチの包装には適しているが、近年では長方形のサンドイッチはあまり見られなくなり、コンビニエンスストアなどではほとんどが直角三角形のサンドイッチになりつつある。そして、箱状の容器は三角形のサンドイッチを包装するのには適していない。
【０００７】
特許文献１〜特許文献３に記載のプラスチックシートにより作られるサンドイッチ用包装材は、等脚台形の食品収容部を有し、ここに直角三角形のサンドイッチを入れて包装する。直角三角形のサンドイッチの形状に沿ってほどんと隙間なくきれいに包装できる。また、カットテープなどの開封補助部材が設けられているので、簡単に開封でき、その開口部より、中のサンドイッチを取り出すことができる。さらに、透明なプラスチックシートによりなるので、内部のサンドイッチが容易に観察できる。
【０００８】
しかし、プラスチック製の容器は使用後には、可燃物と分別して廃棄しなければならい。また、回収されなかったプラスチックは環境に流出し、海洋汚染の原因物質の一つともなっており、生態系への悪影響も問題化している。
【０００９】
この発明は、廃棄処分が容易で、環境への悪影響が少なく、直角三角形状のサンドイッチを包装するのに適した包装袋を提供することを目的とする。
【課題を解決するための手段】
【００１０】
上記の課題を解決するために、この発明のサンドイッチ包装用袋は、略等脚台形状の食品収容部を有する第１紙シートおよび第２紙シートを重ね合わせて形成した本体部と、第１紙シートの食品収容部である等脚台形状の上辺を一辺とする長方形の内部において切り抜き部が備えられ、その切り抜き部に透明シートが設けられている。透明シートは、第２紙シートに対向した第１紙シートの面に取り付けることが好ましい。また、第２紙シートの等脚台形状の上辺を一辺とする長方形の内部に開封補助部材を設けることが好ましく、たとえば、長方形の上辺付近または下辺付近に水平に設けられた水平切込み線と、水平切込み線の両端から垂直に設けられた垂直切込み線によりなる切込み部を形成し、切り込み部の上に開封用シートを設けることができる。さらに、第２紙シートの切込み部に沿って接着性軽減処理部を設け、開封用シートを低接着性接着剤によって開封および再封止可能に第２紙シートに接着して、開封後にも再封止できるようにしてもよい。
【００１１】
さらにこの発明の包装サンドイッチは上述のサンドイッチ包装用袋に包装されたサンドイッチであり、サンドイッチの直角三角形の斜辺に沿った切断面に透明シートが位置している。
【００１２】
また、第２紙シートの等脚台形状の上辺を一辺とする長方形の内部に開封補助部材が設けられており、サンドイッチの直角三角形の斜辺以外の辺に沿った面に開封補助部材が位置していることが好ましい。
【発明の効果】
【００１３】
この発明のサンドイッチ包装用袋は、包装時に中のサンドイッチを外から観察することができる。その大部分を占める本体部を紙シートで形成しているので、使用後は可燃物として廃棄できる。環境中に対する悪影響が小さい。
【図面の簡単な説明】
【００１４】
【図１】サンドイッチ包装用袋を示す正面図である。
【図２】同背面図である。
【図３】同縦断面図である。
【図４】同横断面図である。
【図５】第１紙シートを示す正面図である。
【図６】第２紙シートを示す正面図である。
【図７】開封用シートを示す正面図である。
【図８】包装サンドイッチの斜面側を示す斜視図である。
【図９】包装サンドイッチの垂直面側を示す斜視図である。
【図１０】サンドイッチ包装用袋の別の例を示す背面図である。
【図１１】第２紙シートを示す正面図である。
【発明を実施するための形態】
【００１５】
本発明を実施するための形態について、図面に基づいて詳細に説明する。図１はサンドイッチ包装用袋を示す正面図、図２は同背面図、図３は同Ａ−Ａ縦断面図、図４は同Ｂ−Ｂ横断面図である。なお、このサンドイッチ包装用袋を構成する紙シートおよび透明シートは薄いシートであるが、図３および図４においては、構成をわかりやすくするために、厚さを強調して表現している。
【００１６】
サンドイッチ包装用袋１の本体部は、ほぼ外形が同じ第１紙シート２と第２紙シート３の重ね合わせにより形成されている。第１紙シート２および第２紙シート３はいずれも薄い食品包装用の紙シートである。ここでは、第１紙シート２と第２紙シート３のそれぞれ内側を向く面には防水性のコーティングが施されている。紙シートであるので、不透明である。
【００１７】
サンドイッチ包装用袋１は、上辺が下辺より短い等脚台形の形状をした食品収容部６を有する。この食品収容部６において、上辺７および側部の斜辺８では第１紙シート２と第２紙シート３が接続されている。一方、下辺９では第１紙シート２と第２紙シート３は接続されていない。したがって、食品収容部６は下辺９のみが開いた袋形状になっており、この中にサンドイッチを収容できるようになっている。したがって、食品収容部６の形状は収容されるサンドイッチの形状に対応している。このサンドイッチ包装用袋１には、直角三角形のサンドイッチが収容されるが、上辺７はサンドイッチの厚さとほぼ同じか若干広めになっており、斜辺７の垂線に対する角度θはサンドイッチの頂点の角度２θの半分になっている。
【００１８】
食品収容部６の上部には耳部１０が設けられ、下部には折り畳み部１１が設けられている。この耳部１０と折り畳み部１１には特に制限はないが、ここでは長方形状とし、連続シートから効率よく切り出せるようにしている。
【００１９】
図５は第１紙シートを示す正面図、図６は第２紙シートを示す正面図、図７は開封用シートを示す正面図である。第１紙シート２と第２紙シート３はほぼ同じ形状であり、食品収容部６を形成する等脚台形状の部分と、その上の耳部１０を形成する長方形状の部分と、下の折り畳み部１１を形成する長方形状の部分を有する。この第１紙シートと第２紙シートにより本体部が形成される。
【００２０】
第１紙シート２には、切り抜き部１４が形成されている。この切り抜き部１２は、等脚台形状の中央部に設けられており、特に等脚台形状の上辺７を一辺とする長方形の内部に収まっている。そして、この切り抜き部１２には透明シート４が取り付けられていて、これにより窓部が形成されている。この切り抜き部１２は、等脚台形状の上辺７を一辺とする長方形の大部分を占めるような形状でもよいが、その一部であってもよい。本例では、切り抜き部１２の幅は長方形部の幅の６０％以上であるが、長さは長方形部の長さよりもかなり短い長方形になっている。切り抜き部は長方形以外にも、円形、横長の楕円形などであってもよく、また、複数設けられてもよい。この切り抜き部１２によって形成される窓部によって内部のサンドイッチが観察されるので、幅はなるべく広い方がよく、サンドイッチの具材が十分見える程度であることが好ましい。また、できるだけ小さくすることによって、透明シート４を小さくすることができる。あるいは、できるだけ大きくし、サンドイッチの斜辺に沿った面のほぼ全域をカバーするようにしてもよい。
【００２１】
透明シート４はポリプロピエンや生分解性プラスチックなどの透明な食品包装用のプラスチックフィルムである。ここで、第２紙シート３に対向した第１紙シート２の面に透明シート４が取り付けられている。したがって、透明シート４はサンドイッチ包装用袋１の内側に設けられる。
【００２２】
第２紙シート３には、開封補助部材が設けられることが好ましい。特に、等脚台形状の上辺７を一辺とする長方形部の内部にカットテープや開封用シートなどの開封補助部材が設けられることが好ましい。本例では、第２紙シートには、切り込み部１４が形成されている。この切り込み部１４は、等脚台形状の中央部に設けられており、特に等脚台形状の上辺７を一辺とする長方形の内部に収まっている。さらに、この切り込み部１４は、長方形部の上辺付近または下辺付近に水平に設けられた水平切り込み線１５と、水平切り込み線１５の両端から垂直に設けられた垂直切り込み線１６により、コの字状に構成されている。
【００２３】
また、本例では、切り込み部１４に沿って第２紙シートは切断されている。したがって、本例では水平切り込み線１５、垂直切り込み線１６や切り込み部はミシン目やハーフカットなどはない。つまり、上側が開いたコの字状の切り込みになり、この中に囲まれた部分は上辺の近くにおいてのみ第２紙シートとつながっている。この切り込み部１４は、なるべく大きく形成することが好ましく、中に収容されるサンドイッチを取り出すのに十分な広さにする。
【００２４】
開封用シート１７は、第２紙シート３の切り込み部１４を覆うための覆い部１８と、その下に設けられるつまみ部１９を有する。覆い部１８は概ね長方形であり、切り込み部１４よりも若干広め、すなわち、切り込み部１４の外側に接続部を形成できるだけの大きさを有する。そして、つまみ部１９は本例では台形になっている。
【００２５】
第２紙シート３と開封用シート１７は接着剤などにより接続されている。切り込み部１４の内側において第２紙シート３と開封用シート１７が接続されている内側接続部２０が設けられている。そして、その外側には、切り込み部１４に沿った第２紙シート３と開封用シート１７が接続されていない非接続部２１が設けられ、さらに、切り込み部１４の外側において第２紙シート３と開封用シート１７が接続されている外側接続部２２が形成されている。この外側接続部２２は切り込み部１４を囲むように長方形状に形成されており、これによって、切り込み部１４の周囲を閉鎖しており、切り込み部１４を通って空気が出入りできないようになっている。また、開封用シート１７の下部のつまみ部１９は第２紙シート３に接続されていない。
【００２６】
ついで、このサンドイッチ包装用袋の使用方法について説明する。サンドイッチ包装用袋１の下部は開いているので、ここからサンドイッチｘを挿入する。サンドイッチｘの直角三角形の頂点側から挿入し、奥まで入れる。このとき、サンドイッチｘの斜辺に沿った面が第１紙シート２に当たり、垂直な面が第２紙シート３に当たるような向きで入れる。そして、サンドイッチ包装用袋の下部の余った部分をキャラメル折りのようにして折り畳み、粘着テープやシールなどで止めれば密封性の高い包装が完了する。図８および図９は包装サンドイッチを示す斜視図であり、サンドイッチ包装用袋の使用状態を示している。図８は包装サンドイッチの斜面側を示し、図９は包装サンドイッチの垂直面側を示す。
【００２７】
三角サンドイッチは、通常は正方形または長方形の２枚またはそれ以上のパンの間に具材を挟みこむことによって作られ、その後、対角線に沿って２つに切断される。こうして、複数の直角三角形のパンが重なり合ったサンドイッチができる。斜辺に沿った面が切断面であり、パンの間に挟まれた具材が観察される。さらに、その斜面の上下端部よりも、中央部の方がよく具材を観察できる。包装したときに、この切断面ではない垂直な面には開封補助部材が表れ、本例の場合には切り込み部１４および開封用シート１７を設けられた位置になる。包装体の切り込み部１４と開封用シート１７は三角サンドイッチの垂直な面に合わせられた位置になり、水平切り込み線１６とつまみ部は三角サンドイッチの直角部付近に合わせられた位置になる。この包装サンドイッチは、斜辺に沿った面を前に向けて店内に陳列される。こうして、透明シート４を介してサンドイッチの具材を消費者に見せることによって、購入意欲を喚起できる。また、消費者としても、具材を見ることによって、自分が食べたいサンドイッチを的確に選択できる。
【００２８】
このサンドイッチ包装用袋は、つまみ部１９を指でつまんで開封用シート１７を第２紙シート３から引きはがすことによって簡単に開封を行うことができる。一方の手の掌にサンドイッチの底面をのせ、その手でサンドイッチをつかむ。他の手の指でつまみ部１９をつまみ、引き上げるようにして第２紙シート３から開封用シート１７を引きはがす。第２紙シート３と開封用シート１７は接着剤などによって弱く接続されているだけなので、簡単に引きはがすことができる。そして、第２紙シート３の切り込み部１４の内側の部分は内側接続部２０により開封用シート１７に接続されているので、開封用シート１７とともにサンドイッチ包装用袋から引きはがされる。こうして、大きな開口が得られる。この間、サンドイッチは一方の手で下からつかまれているので開封中に開口部から飛び出すことはない。そして、この開口部より中のサンドイッチを簡単に取り出すことができる。この開口側からはサンドイッチの具材は見えないが、第１紙シート２の透明シート４を通して具材が観察できる。複数のサンドイッチで異なる具材のものが収容されている場合でも、透明シート４を見て自分の食べたい具材のサンドイッチを選択することができる。
【００２９】
つまみ部１９は包装サンドイッチの下部にあり、第２紙シート３との接続部は下向きに開いている。したがって、運搬中や保管中に何らかの異物が降りかかったとしても、つまみ部１９と第２紙シート３の間に入り込まない。仮に下から吹き上がった異物が一時的に入り込むにしても、そのほとんどは自然に落下していくので残らない。異物はこの包装袋の表面にほとんどつかず、清潔な状態が保たれる。
【００３０】
以上の例では、つまみ部１９は下向きに設けられるが、これを上向きに設けることもできる。図１０はサンドイッチ包装用袋の別例を示す背面図、図１１は第２紙シート３の別例を示す正面図である。本例では、水平切り込み線１６は等脚台形の食品収容部６の短辺（上辺）側にあり、切り込み部１４は下に開いたコの字形状である。
【００３１】
開封用シート１７は図７に示すものと同じでよいが、つまみ部１９を上向きにして第２紙シート３へ取り付ける。このとき、内側接続部２０は切り込む部１４の形状に沿って設けられる。
【００３２】
この別例によれば、つまみ部１９は包装サンドイッチの下側に突出するのではなく、耳部１０の側に表れる。開封するときは、一方の手でサンドイッチｘの側面をつかみ、他方の手でつまみ部１９を摘まんで下方に引き下げる。こうして開封用シート１７を第２紙シート３から引きはがし、サンドイッチｘを取り出す開口を形成できる。
【００３３】
また、この別例においても、図２に示す例においても、第２紙シートの切込み部に沿って接着性軽減処理部を設けられ、開封用シートは低接着性接着剤によって開封および再封止可能に第２紙シートに接着してもよい。たとえば、第２紙シート３の外側接着部の範囲にＯＰ剤塗布などの処理を行うことにより、その表面を滑らかにして接着性を低下させることができる。これによって、開封時に第２紙シート３の繊維等が引きちぎられることがく、第２紙シート３および開封用シート１７の表面は滑らかな状態が保たれ、接続部に残った接着剤によって再度接続することができる。全てのサンドイッチを食べきれない場合には、再度、開封用シート１７を第２紙シート３に貼り直すことができ、良好な密封状態を再現できるので、食べ残しのサンドイッチを収納する容器として使用し続けることができる。
【符号の説明】
【００３４】
１．サンドイッチ包装用袋
２．第１紙シート
３．第２紙シート
４．透明シート
６．食品収容部（等脚台形部）
７．上辺
８．斜辺
９．下辺 
１０．耳部
１１．折り畳み部
１２．切り抜き部
１４．切り込み部
１５．水平切切り込み線
１６．垂直切り込み線
１７．開封用シート
１８．覆い部
１９．つまみ部
２０．内側接続部
２１．非接続部
２２．外側接続部
ｘ．サンドイッチ
【図１】
2020083476.tif 000003
【図２】
2020083476.tif 000004
【図３】
2020083476.tif 000005
【図４】
2020083476.tif 000006
【図５】
2020083476.tif 000007
【図６】
2020083476.tif 000008
【図７】
2020083476.tif 000009
【図８】
2020083476.tif 000010
【図９】
2020083476.tif 000011
【図１０】
2020083476.tif 000012
【図１１】
2020083476.tif 000013